(57)【特許請求の範囲】
【請求項１】
内壁にメスヘリコイドとカムとが形成されたカム筒と、レンズを保持するとともに外壁に前記メスヘリコイドに結合するオスヘリコイドとが形成されて前記カム筒の回転によるヘリコイド作用により光軸方向に移動するオスヘリコイド筒と、レンズを保持するとともに外壁に前記カムに係合するカムピンが設けられて前記カム筒の回転によるカム作用により光軸方向に移動するレンズ保持部材とを有するレンズ鏡筒において、
前記メスヘリコイドが、第１のメスヘリコイド部と、この第１のメスヘリコイド部に連続して形成されて前記第１のメスヘリコイド部と異なるリードを与える第２のメスヘリコイド部とを有する複合メスヘリコイドであり、前記メスヘリコイドと前記カムが互いに径方向にて重ならないよう光軸方向に並んで形成されていることを特徴とするレンズ鏡筒。
【請求項２】
前記カムが、溝形状に形成されていることを特徴とする請求項１に記載のレンズ鏡筒。
【請求項３】
前記オスヘリコイド筒における前記オスヘリコイドを、前記第１および第２のメスヘリコイド部にそれぞれ面係合可能な第１および第２のオスヘリコイド部を備えた複合オスヘリコイドとしたことを特徴とする請求項１又は２に記載のレンズ鏡筒。
【請求項４】
前記カムが、光軸方向について交互凹凸形状となるように形成されており、
前記第１のメスヘリコイド部と前記第２のメスヘリコイド部との連続部分が、前記カムのうちメスヘリコイド側が凹形状となっている部分の近傍に形成されていることを特徴とする請求項１から３のいずれかに記載のレンズ鏡筒。
【請求項５】
前記第１のメスヘリコイド部は、変倍および合焦動作のために前記オスヘリコイド筒を光軸方向に移動させ、前記第２のメスヘリコイド部は、変倍および合焦動作以外の動作のために前記オスヘリコイド筒を光軸方向に移動させることを特徴とする請求項１から４のいずれかに記載のレンズ鏡筒。
【請求項６】
前記変倍および合焦動作以外の動作が、収納動作であることを特徴とする請求項５に記載のレンズ鏡筒。
【請求項７】
前記第１のオスヘリコイド部の前記第１のメスヘリコイド部に対する周方向の係合長さが、前記第２のオスヘリコイド部の前記第２のオスヘリコイド部に対する周方向の係合長
さよりも長いことを特徴とする請求項１から５のいずれかに記載のレンズ鏡筒。
【請求項８】
前記メスヘリコイドにおける前記オスヘリコイドの組込み端近傍に、それぞれ前記第１および第２のメスヘリコイド部と同じリードを与える第１および第２の組み込み用メスヘリコイド部を連続形成したことを特徴とする請求項１から７のいずれかに記載のレンズ鏡筒。
【請求項９】
前記第１および第２の組み込み用メスヘリコイド部が、前記カムにおける前記カムピンの組み込み端との干渉を避けるように組み合わされて連続形成されていることを特徴とする請求項８に記載のレンズ鏡筒。
【請求項１０】
前記カム筒が、差動型ズーム鏡筒構造における差動筒であることを特徴とする請求項１から９のいずれかに記載のレンズ鏡筒。
【請求項１１】
前記カム筒にこのカム筒の外壁側にてヘリコイド結合する固定筒を有しており、前記カム筒の回転によりこのカム筒が前記固定筒に対して光軸方向に移動することを特徴とする請求項１から１０のいずれかに記載のレンズ鏡筒。
【請求項１２】
請求項１から１１のいずれかに記載のレンズ鏡筒を備えたことを特徴とするカメラ。
【発明の詳細な説明】
【０００１】
【発明の属する技術分野】
本発明は、カメラ等に用いられるレンズ鏡筒に関するものであり、さらに詳しくは、いわゆる差動型のレンズ鏡筒に於いて、差動筒の肉厚を薄くし、鏡筒全体の直径を小さくすることが可能なレンズ鏡筒に関するものである。
【０００２】
【従来の技術】
従来、カムピンとカム溝、そして直進案内部材（直進筒等）を用いたズームレンズ鏡筒については多くの提案がなされている。
【０００３】
また、レンズ鏡筒では、カムピンとカム溝の代わりにヘリコイドを用いたものが、特開平３−２０９４４５号公報にて提案されている。このレンズ鏡筒は、前群がオスヘリコイドを、後群がカムピンをそれぞれ有し、その両群を案内保持するためにメスヘリコイドとカム溝を形成したカム筒を用いることによって繰り出し鏡筒として構成されている。
【０００４】
このレンズ鏡筒では、ヘリコイド機構によって案内される前群は単一のリードネジによって案内されるため、カム筒の回転に対して直線的に移動するが、カム溝によって案内される後群が光学的な条件や収納状態へ移動させるための条件を満足するようにカム溝の軌跡をとると、前群はカム筒の回転に対して非直線的に移動する。
【０００５】
この場合、カム溝はメスヘリコイドの一部を横切るかたちになるので、カム溝が連続的に形成されているのに対し、メスヘリコイドは一部不連続になっている。つまり、前群と後群の光学的軌跡や収納状態への移動軌跡を満足する様なカム溝とヘリコイドがカム筒内で干渉していることになる。
【０００６】
そこで、上記公報提案のレンズ鏡筒では、カム筒におけるヘリコイドとカム溝とを径方向に位置をずらして（段差を設けて）これらの干渉を避け、ヘリコイドとカム溝の両方の機能を満足させている。
【０００７】
また、特開平４−３４７８１０号公報では、別のレンズ鏡筒が提案されている。これは、前群のみをヘリコイド結合によって案内する回転筒があって、前群の光軸方向の移動分の移動力によって前群内部のカム筒が回転し、回転筒の回転に対し、後群を非直線に移動させるものである。
【０００８】
このレンズ鏡筒では、従来は単一リードによって案内するヘリコイドの一部（例えば、沈胴時）にリードゼロ、つまり回転筒の回転に対して前群が移動しない状態を作り、レンズバリアの開閉を行っている。
【０００９】
この公報提案のレンズ鏡筒では、リードが一部異なるヘリコイドやカム溝を用いて鏡筒を構成しているが、ヘリコイドとカム溝を構成している筒が個々にあるので互いに干渉することがなく、互いを考慮して筒を考える必要がない。
【００１０】
さらに、沈胴状態での鏡筒全長を縮める方式に有効な複数の筒構造を用いた差動型のズームレンズ鏡筒構造についても多く提案されている。
【００１１】
【発明が解決しようとする課題】
差動型のズームレンズ鏡筒構造は収納（沈胴）状態での鏡筒機構を縮める構造としては有利である反面、複数の筒が嵌合した状態になるため、鏡筒全体の直径が大きくなり、カメラ前面から見た場合の投影面積が大きくなってしまう。この点、各筒の肉厚（半径方向の寸法）を薄くすれば鏡筒の直径を大きくしなくて済むが、構造全体の剛性や強度が低下する。
【００１２】
上記のような観点、つまり差動型鏡筒構造を用いた場合のカム筒の厚みといった点から考えると、特開平３−２０９４４５号公報にて提案されているレンズ鏡筒のカム筒は、厚みを構成している要素として、外側から順に、
▲１▼全体のベースとなる部分
▲２▼カムピンがカム結合するカム溝
▲３▼ヘリコイド結合するヘリコイドネジ
の３要素が必要になる。
【００１３】
仮に、ヘリコイドによる繰り出しを止めて、全てをカム結合による繰り出しにすれば、前群も後群と同様にカム筒の回転に対して非直線で移動させることができ、カム筒内での干渉がない状態にすることができる。この場合、上述の要素としては▲１▼と▲２▼の２要素になり、カム筒の厚みを薄くすることが可能になる。
【００１４】
しかし、ヘリコイドを用いた場合に比べ、カムピン構造は部品点数的にはカムピンが増える、結合強度的にはヘリコイドのように面で係合する場合よりも３点で接しているカム結合の方が弱い、といった不利な点もある。
【００１５】
また、特開平４−３４７８１０号公報にて提案されているレンズ鏡筒では、ヘリコイド結合している部分とカム結合している部分とが異なる筒にあるため、「厚み」という点からは、▲１▼が２箇所分必要で、当然鏡筒の直径もその分大きくなってしまう。
【００１６】
【課題を解決するための手段】
上記の課題を解決するために、本発明では、内壁にメスヘリコイドとカム（例えば、カム溝）とが形成されたカム筒と、レンズを保持するとともに外壁に上記メスヘリコイドに結合するオスヘリコイドとが形成されてカム筒の回転によるヘリコイド作用により光軸方向に移動するオスヘリコイド筒と、レンズを保持するとともに外壁に上記カムに係合するカムピンが設けられてカム筒の回転によるカム作用により光軸方向に移動するレンズ保持部材とを有するレンズ鏡筒において、前記メスヘリコイドを、第１のメスヘリコイド部と、この第１のメスヘリコイド部に連続して形成されて前記第１のメスヘリコイド部と異なるリードを与える第２のメスヘリコイド部とを有する複合メスヘリコイドとし、前記メスヘリコイドと前記カムが互いに径方向にて重ならないように光軸方向に並べて形成している。
【００１８】
これにより、カム筒の厚みを厚くすることなく(ひいてはレンズ鏡筒全体の径を大きくすることなく)、ヘリコイド結合とカム溝結合とを同時に満足できるカム筒を実現することが可能になる。
ここで、レンズを保持するとともに外壁にカムに係合するカムピンが設けられてカム筒の回転によるカム作用により光軸方向に移動するレンズ保持部材をレンズ境筒に備え付け、さらにカム筒におけるメスヘリコイドとカムとを互いに非干渉となるように形成してもよい。
【００１９】
なお、カムを、例えばレンズ保持部材を光軸方向前方に移動させる部分と光軸方向後方に移動させる部分とを交互に連続形成した凹凸形状とし、第１のメスヘリコイド部と第２のメスヘリコイド部との連続部分をカムのうちメスヘリコイド側が凹形状となっている部分の近傍に形成して、カムとメスヘリコイドとの干渉を避けつつ、両者を近接配置し、カム筒の光軸方向の小型化を図るのが望ましい。
【００２０】
そして、上記カム筒に形成された複合メスヘリコイドのうち第１のメスヘリコイド部によって変倍動作及び合焦動作の両方を行うようにオスヘリコイド筒を移動させ、第２のメスヘリコイド部では変倍動作及び合焦動作以外のオスヘリコイド筒の移動（例えば、収納動作）を行うようにして、ヘリコイド結合の滑らかな繰り出しを通常のズーム駆動で行えるようにするのがよい。
【００２１】
さらに、オスヘリコイド筒に形成された複合オスヘリコイドにおいて、第１のオスヘリコイド部分の係合長さを第２のオスヘリコイド部の係合長さよりも長くして、繰り出し状態において外力に対し強い鏡筒を構成するのが望ましい。
【００２２】
また、上記カム筒を、差動型ズーム鏡筒の差動筒として用いることによって、鏡筒直径の大きくなりがちな差動型鏡筒の直径を小さく抑えるようにしてもよい。
【００２３】
また、メスヘリコイドにおけるオスヘリコイドの組込み端近傍に、それぞれ第１および第２のメスヘリコイド部と同じリードを与える第１および第２の組み込み用メスヘリコイド部を連続形成してもよい。この場合、第１および第２の組み込み用メスヘリコイド部を、カムにおけるカムピンの組み込み端との干渉を避けるように組み合わされて連続形成するのが好ましい。
【００２４】
【発明の実施の形態】
図１〜図８には、本発明の実施形態である差動型の二群ズームレンズ鏡筒の構造を示している。図１は、上記ズームレンズ鏡筒の斜視図であり、図２はその主要部品のみを示した斜視図である。また、図３は上記ズームレンズ鏡筒を構成するカム筒の中央断面図である。さらに、図４〜図８は上記レンズ鏡筒における繰り出しの状態を順次説明した図である。
【００２５】
先ず、図１において、本ズームレンズ鏡筒の全体構成について説明する。ズームレンズ鏡筒（ユニット）全体を収納している固定筒１の内壁には、メスヘリコイド１ａが形成されている。このメスヘリコイド１ａは、カム筒２の外周の結像面側に形成された平歯ヘリコイド２ａのうちオスヘリコイドとヘリコイド結合している。これにより、カム筒２は、固定筒１に対して光軸を中心に回転しながらヘリコイド作用によって光軸方向に進退可能に保持される。
【００２６】
固定筒１の側面には、光軸に平行に延びる長穴１ｂが形成されており、この長穴１ｂには、不図示の動力伝達系から動力を受けて回転する駆動ギア３が入り込んでいる。駆動ギア３のうち固定筒１の内側に突出する部分は、カム筒２の平歯ヘリコイド２ａの平歯部分と噛合する。これにより、カム筒２は固定筒１内で動力を受けて、回転しながら光軸方向に繰り出す。なお、カム筒２は、図中の矢印「Ｚ」方向に回転することによって繰り出し、「Ｚ」方向と反対方向に回転することによって繰り込む。
【００２７】
また、カム筒２の内周には、後述する前群筒４と後群筒５とをそれぞれ結合保持する複合メスヘリコイド２ｂとカム溝２ｃとが形成されている。複合メスヘリコイド２ｂは、従来の単一リードを持ったヘリコイドではなく、異なったリードを持った２つのヘリコイド部が連続形成されたものである。なお、複合メスヘリコイド２ｂについては後で詳述する。また、複合メスヘリコイド２ｂとカム溝２ｃとは、カム筒２の周壁の肉厚方向（径方向）において、同位置又はほぼ同位置に形成されている。
【００２８】
この複合メスヘリコイド２ｂは、前群筒４をこれに保持されたレンズの撮影時の光学条件を満足する軌跡で移動させるように、更には前群筒４を収納状態に移動させる際の軌跡を満足するように形成されている。
【００２９】
前群筒（オスヘリコイド筒）４の内側には、不図示の前群レンズ、シャッタ機構などが保持されている。前群筒４の外壁の結像面側には、複合オスヘリコイド４ａが形成されており、この複合オスヘリコイド４ａはカム筒２の複合メスヘリコイド２ａとヘリコイド結合している。なお、この複合オスヘリコイド４ａについても後で詳述する。
【００３０】
また、前群筒４の内周には、直進溝４ｂおよび周方向等間隔の３本の直進キー４ｃとが形成さ  れていて、それぞれ、後述する直進キーリング６および後群筒５とキー結合している。
【００３１】
後群筒（レンズ保持部材）５には、不図示の後群レンズが保持されている。後群筒５の外壁には、周方向等間隔で３本のカムピン５ａが植え込まれて又は一体成形されており、これらカムピン５ａはカム筒２のカム溝２ｃとカム結合している。
【００３２】
カム溝２ｃは、後群筒５をこれに保持されたレンズが前群筒４内のレンズとの組み合わせによって撮影可能となる軌跡で移動させるように、更には後群筒５を収納状態に移動させる際の軌跡を満足するように形成されている。概略的には、カム筒２の回転方向を一定とした場合に、後群筒５を光軸方向前方に移動させる部分（例えば、変倍動作させる部分）と光軸方向後方に移動させる部分（例えば、合焦動作させる部分）とが交互に連続するよう光軸方向に対して凹凸形状となるように形成されている。
【００３３】
そして、後群筒５には、前群筒４の直進キー４ｃとキー結合する直進溝５ｂが３本形成されており、これらのキー結合によって、後群筒５は前群筒４に対して光軸を中心して回転不能であるが、光軸方向には移動可能になっている。
【００３４】
カム筒２内の直進キーリング６は、後述する方式によって、光軸を中心に非回転であるが、カム筒２と光軸方向には一体的に移動する。
【００３５】
直進キーリング６には前方に延びるキー部６ａが形成されており、このキー部６ａは前群筒４の直進溝４ｂとキー結合している。従って、前群筒４は固定筒１に対して非回転で、光軸方向には移動可能になり、また前群筒４にキー結合している後群筒５も固定筒１に対して同様の関係になる。
【００３６】
直進キーリング６には数カ所の切り欠き部６ｂが形成されており、またカム筒２にはその切り欠き６ａに対応した形状の凸部２ｄが形成されている。この構造は、ある回転位相にて組み込まれるが、それ以外の回転位相では外れないバヨネット機構になっている。
【００３７】
そして、直進キーリング６の後方には、直進ガイド７があり、ネジ等により取り付けられている。直進ガイド７から張り出したキー部７ａは固定筒１のキー溝１ｃとキー結合していて、直進ガイド７は固定筒１に対して非回転であるが、光軸方向には移動可能になっている。従って、直進キーリング６はカム筒２内で回転自在であり、かつカム筒２と一体的に移動する。
【００３８】
以上のように構成されたレンズ鏡筒では、カム筒２が矢印「Ｚ」方向に回転し、固定筒１から回転しながら繰り出すと、同時に前群筒４及び後群筒５が所定の光学条件（変倍動作および合焦動作のための条件）を満足するようにカム筒２内で繰り出す。これにより、本レンズ鏡筒が備えられたカメラによる撮影が可能となる。なお、固定筒１は、カメラ本体に取り付けられ又はカメラ本体と一体成形される。
【００３９】
また、カム筒２が矢印「Ｚ」方向と反対方向に回転し、固定筒１に対して回転しながら繰り込むと、変倍および合焦動作以外の動作としての収納動作を行うことができる。
【００４０】
次に、カム筒２と前群筒４とをヘリコイド結合させている複合ヘリコイドについて、図２および図３を用いて説明する。
【００４１】
通常、ヘリコイドはヘリコイド結合する面が光軸方向前後に一組あり、単一リードを与える。これに対し、前群筒４に形成されている複合オスヘリコイド４ａは、前群筒４の径方向から見て菱形または平行四辺形に似た形状をしていて、相対する１組の平行面が第１のリードを与える第１オスヘリコイド面４ｄを、もう１組の平行面が第１のリードよりも小さい第２のリードを与える第２オスヘリコイド面４ｅを構成する。ここで、第１ヘリコイド面４ｄは、第２ヘリコイド面４ｅよりも前群筒４の周方向に長くなるように形成されている。
【００４２】
一方、カム筒２に形成された複合メスヘリコイド２ｂは、上記第１のリードを与える第１メスヘリコイド面２ｅと、上記第２のリードを与える第２メスヘリコイド面２ｆとが連続して形成され、全体として一体のメスヘリコイドとして形成されている。
【００４３】
断面を示す図３からも分かるように、複合メスヘリコイド２ｂは、後群筒５の所定の光学条件を満足し、かつ収納状態に移動させるための軌跡を満足するように形成されたカム溝２ｃとの干渉を避けるように、つまりは、径方向にて重ならないように数点（本実施形態では３点）の曲点（第１メスヘリコイド面２ｅと第２メスヘリコイド面２ｆとの連続点）を持つ形でカム筒２の内壁に形成されている。
【００４４】
例えば、複合メスヘリコイド２ｂのうち前群筒４を沈胴状態とワイド状態との間で移動させる第２メスヘリコイド面２ｆと前群筒４をワイド状態とテレ状態との間で移動させる第１メスヘリコイド面２ｅとのカム溝２ｃ側の連続点は、カム溝２ｃのうち複合メスヘリコイド２ｂ側に凹となる部分の近傍に迫り出すように位置している。これにより、複合メスヘリコイド２ｂとカム溝２ｃとを互いの干渉を避けつつ、近接配置することが可能となり、カム筒２の光軸方向の小型化を図ることができる。
【００４５】
しかも、従来と異なり、カム溝２ｃと複合メスヘリコイド２ｂとが互いに干渉することがないので、肉厚（径）方向で異なる位置にヘリコイドとカム溝を設ける必要がなく、両方で１要素分と見なせる。これは、丁度、前群および後群筒の両方をカム結合で駆動した場合と同じカム筒の厚みでよいことになる。
【００４６】
つまり、複合ヘリコイドを用いた本実施形態によれば、従来は３要素必要としていたカム筒の肉厚を、２要素にすることができる。したがって、カム筒２の肉厚を薄くでき、カム筒２の小径化を図ることができる。
【００４７】
しかも、前群筒４をカム筒２にヘリコイド結合させることができるため、カムピンを新たに設ける必要がなく、部品点数の削減を図ることができる。さらに、前群筒４とカム筒２とはヘリコイド結合により面係合しているので、結合強度的にも強い。
【００４８】
次に、この複合ヘリコイドを用いたレンズ鏡筒の繰り出し動作および組立てについて、図４〜図８を用いて説明する。これらの図は外面展開形状でカム筒２および前群筒４の一部を表していて、内面側で必要な部分は破線で示している。また、各動きで関連する後群筒５のカムピン５ａも参考のため併記する。
【００４９】
図４は鏡筒収納状態を、図６はワイド状態を、図５は収納状態からワイド状態へ移行している中間状態であって、複合ヘリコイドのリードが切り替わっているところを示している。また、図７および図８は、通常の鏡筒駆動状態ではないが、鏡筒機構を組み立てる際の前後群の動きを表している。
【００５０】
各図に示している太矢印は、カム筒２に対して前群筒４が動き得る方向であり、方向とリードの大きさ（傾き）を示している。また、前群筒４の複合オスヘリコイド４ａについては、第１オスヘリコイドと第２オスヘリコイドとが切り換わる点をそれぞれ「Ｘ」、「Ｙ」として説明する。
【００５１】
先ず、図４に示す収納状態について説明する。この状態では、前群筒４は複合オスヘリコイド４ａの「Ｙ」付近の各ヘリコイド面４ｄ，４ｅと、「Ｘ」の点でヘリコイド結合している。これらの結合長さは複合オスヘリコイド４ａ全体から見ると少ない量であり、ヘリコイド結合長さとしては少ないが、収納状態では鏡筒全体に力が加わることがないので問題はない。
【００５２】
次に、鏡筒全体が繰り出し始め、ワイド状態にセットされるまでを図５によって説明する。図４から図５までの過程では、前群筒４は第２オスヘリコイド面４ｅとカム筒２の第２メスヘリコイド面２ｆとのヘリコイド結合により第２のリードが与えられて繰り出す。
【００５３】
そして、図５の状態でリードが切り替わると、これ以後は第１オスヘリコイド面４ｄとカム筒２の第１メスヘリコイド面２ｅとのヘリコイド結合により第１のリードで繰り出される。
【００５４】
なお、リードの切り替え時には、「Ｘ」側では両オスヘリコイド４ｄ，４ｅがカム筒２の両メスヘリコイド２ｅ，２ｆとヘリコイド結合しているが、「Ｙ」側では付近は「Ｙ」点のみが結合している。しかし、この状態はワイドにセットされるまでのごく僅かな期間であり、この状態で鏡筒に力が加わる確率は低いため、実害は少ない。
【００５５】
更に、繰り出しが進み、図６のワイドのセット状態になる。これ以降、通常の撮影に必要な前群筒４の繰り出しは、第１の各ヘリコイド面４ｄ，２ｅのヘリコイド結合で行われる。これは、実際のプラスチック成形でカム筒２と前群筒４を作った場合、第１のリードと第２のリードとの切り替えポイントでは単純な螺合に比べて結合ガタが発生し易いため、光学性能を重視しなければならないズーム駆動領域では、この結合ガタを避けることが重要になるからである。
【００５６】
また、この理由に加え、通常のズーム駆動では鏡筒全体が繰り出されたまま放置される恐れがあり、場合によっては前群筒４に外力が加わることも考えられる。このため、前群筒４の複合オスヘリコイド４ａのうち第１オスヘリコイド面４ｄの長さを長くして、ヘリコイド結合の強度を上げるようにしている。
【００５７】
一方、図７および図８に示す鏡筒組み立てのために、カム筒２の複合メスヘリコイド２ｂにおける前群筒４の組み込み端近傍の形状も工夫されている。
【００５８】
図４に示すように収納状態では、前群筒４は第２のリードで繰り込みを終了しており、単純に考えると、そのままの第２のリードでカム筒２から外れればよい。しかし、第２のリードを与える第２メスヘリコイド面２ｆを組み込み端まで延長すると、図７に示す「Ａ」の部分でカム溝２ｃと干渉してしまう。
【００５９】
そこで、本実施形態では、図４の状態から図７の状態までは第１のリードで前群筒４（複合オスヘリコイド４ａ）を移動させる。但し、そのまま第１のリードで組み込み端まで移動させると、今度は、図８に示す隣のカム溝２ｃと「Ｂ」の部分で干渉してしまうので、図７の状態からは第２のリードによる移動に切り替え、カム溝２ｃに干渉させないように複合ヘリコイド４ａを組み込み端まで移動させる。
【００６０】
以上説明したように、本実施形態によれば、カム筒２および前群筒４に形成するヘリコイドを互いに異なるリードを与える２つのヘリコイド面を連続させて形成し、前群筒４を移動させるためのリードを順次切り替えていくことにより、あたかも普通のカムピンとカム溝によるカム結合と同様な挙動を持たせることができる。しかも、ヘリコイド結合により強度的にも満足のいくカム筒２と前群筒４との結合が得られる。そして、ヘリコイド結合とカム結合の両方を用いながらも、カム筒２の厚みを従来よりも薄く抑え、鏡筒全体の小径化を図ることができる。
【００６１】
なお、リードの切り替えを無限に行うと、図９に示すように、複合ヘリコイドは曲線形状に似たメスヘリコイド２ｇとなり、限りなくカム結合に近づく。しかし、複合ヘリコイド４ａは「Ｘ」、「Ｙ」の点だけでメスヘリコイド２ｇに接触していることになってしまう。これでは面係合により結合強度が高いというヘリコイド結合の特徴が失われてしまう。従って、リードの切り替えは極力少なくすることが重要であり、さらに、前述した理由から、通常のズーム駆動は単一のリードで行うようにすることが望ましい。
【００６２】
また、上記実施形態では、カム筒２にカム溝２ｃを形成した場合について説明したが、本発明では、カム筒にいわゆる端面カムを形成してもよい。
【００６３】
【発明の効果】
以上説明したように、本発明によれば、メスヘリコイドとカムの両方を有するカム筒において、メスヘリコイドを、異なるリードを与える２つのヘリコイド面を備えた複合ヘリコイドとして形成し、オスヘリコイド筒に与えるリードを適宜切り替える鏡筒構成としたので、
▲１▼    従来では３要素分の厚みを必要としていたカム筒を、２要素分の厚みのみで構成することができ、鏡筒の外径を小さく抑えることができる。
【００６４】
▲２▼    カム結合のような駆動方式（すなわち、カム筒の回転に対して非直線的な繰り出し駆動方式）を行いながら、結合強度的にはヘリコイド結合による高い強度が得られる。更に、カムピンとして別部品を設定する必要がなくなる。
【００６５】
なお、通常ズーム駆動領域では一方のリードのみでヘリコイド駆動を行うようにすれば、リードの切り替え時点でのガタなどの影響を抑え、光学性能を正確に保つことができる。
【００６６】
また、それぞれのリードのヘリコイドにおいて、結合量（螺合部分）の大きい方のヘリコイドで通常ズーム駆動を行うようにようにすれば、外力に対して強い鏡筒構造を実現することができる。
などの効果がある。
【００６７】
さらに、カム溝をレンズ保持部材を光軸方向について交互凹凸形状とし、第１のメスヘリコイド部と第２のメスヘリコイド部との連続部分をカムのうちメスヘリコイド側が凹形状となっている部分の近傍に形成すれば、カムとメスヘリコイドとの干渉を避けつつ、両者を近接配置でき、カム筒の光軸方向の小型化を図ることができる。
【図面の簡単な説明】
【図１】本発明の実施形態であるレンズ鏡筒の全体斜視図。
【図２】上記レンズ鏡筒の部分斜視図。
【図３】上記レンズ鏡筒を構成するカム筒の中央断面図。
【図４】上記カム筒の展開図（収納状態）。
【図５】上記カム筒の展開図（収納状態とワイドセット状態の中間）。
【図６】上記カム筒の展開図（ワイドセット状態）。
【図７】上記カム筒の展開図（組み込み説明図）。
【図８】上記カム筒の展開図（組み込み説明図）。
【図９】複合ヘリコイドのリードの切り替えを無限に行った場合の説明図。
【符号の説明】
１…固定筒
１ａ…複合メスヘリコイド
１ｂ…長穴
１ｃ…キー溝
２…カム筒
２ａ…平歯ヘリコイド
２ｂ…複合ヘリコイド
２ｃ…カム溝
２ｄ…凸部
２ｅ…第１メスヘリコイド面
２ｆ…第２メスヘリコイド面
２ｇ…曲線形状に似たメスヘリコイド
３…駆動ギア
４…前群筒
４ａ…複合オスヘリコイド
４ｂ…直進溝
４ｃ…直進キー
４ｄ…第１オスヘリコイド面
４ｅ…第２オスヘリコイド面
５…後群筒
５ａ…カムピン
５ｂ…直進溝
６…直進キーリング
６ａ…キー部
６ｂ…切り欠き部
７…直進ガイド
７ａ…キー部
【図１】
0003610254.tif 000002
【図２】
0003610254.tif 000003
【図３】
0003610254.tif 000004
【図４】
0003610254.tif 000005
【図５】
0003610254.tif 000006
【図６】
0003610254.tif 000007
【図７】
0003610254.tif 000008
【図８】
0003610254.tif 000009
【図９】
0003610254.tif 000010